【手続補正書】
【提出日】平成19年5月21日(2007.5.21)
【手続補正１】
【補正対象書類名】明細書
【補正対象項目名】特許請求の範囲
【補正方法】変更
【補正の内容】
【特許請求の範囲】
【請求項１】  セルスロットの割り当てを行う網装置と、上記網装置により割り当てられたセルスロットで、第１のセルヘッダを有する有効セルと第２のセルヘッダを有するアイドルセルを当該網装置に送信する網終端装置と、を備えた動的帯域割当システムにおいて、上記網装置は、上記セルヘッダに基づいて、上記網終端装置から上記網装置が受信した有効セルとアイドルセルを検出する検出部と、上記検出部の検出結果に基づいて、上記網終端装置へのセルスロットの割り当ての判定結果を出力する判定部と、上記判定部の判定結果に対応して上記網終端装置へのセルスロットの割り当てを制御するセルスロット割り当て部と、を備えたことを特徴とする動的帯域割当システム。
【請求項２】  上記判定部は、上記網終端装置から受信した有効セルの連続数が所定の閾値を超えると判定結果を出力し、上記セルスロット割り当て部は、上記判定部の判定結果に対応して上記網終端装置に対するセルスロットの割り当てを増やすことを特徴とする請求項１記載の動的帯域割当システム。
【請求項３】  上記判定部は、上記網終端装置から判定周期内に受信した有効セルのセル数が所定の閾値を下回ると判定結果を出力し、上記セルスロット割り当て部は、上記判定部の判定結果に対応して上記網終端装置に対するセルスロットの割り当てを減らすことを特徴とする請求項１記載の動的帯域割当システム。
【請求項４】  上記判定部は、上記網終端装置から判定周期内に受信した有効セルのセル数が所定の閾値を超えると判定結果を出力し、上記セルスロット割り当て部は、上記判定部の判定結果に対応して上記網終端装置に対するセルスロットの割り当てを増やすことを特徴とする請求項１記載の動的帯域割当システム。
【請求項５】  上記判定部は、判定周期内に受信したセルの総数に応じて閾値を設定することを特徴とする請求項２から請求項４のうちのいずれか１項記載の動的帯域割当システム。
【請求項６】  セルスロットの割り当てを行う網装置と、上記網装置により割り当てられたセルスロットで、第１のセルヘッダを有する有効セルと第２のセルヘッダを有するアイドルセルを当該網装置に送信する網終端装置と、を備えた動的帯域割当システムにおいて、上記セルヘッダに基づいて、上記網終端装置から上記網装置が受信した有効セルとアイドルセルを検出する検出工程と、上記検出工程の検出結果に基づいて、上記網終端装置へのセルスロットの割り当ての判定結果を出力する判定工程と、上記判定工程の判定結果に対応して上記網終端装置へのセルスロットの割り当てを制御するセルスロット割り当て工程と、を備えたことを特徴とする動的帯域割当方法。
【請求項７】  上記判定工程は、上記網終端装置から受信した有効セルの連続数が所定の閾値を超えると判定結果を出力し、上記セルスロット割り当て工程は、上記判定部の判定結果に対応して上記網終端装置に対するセルスロットの割り当てを増やすことを特徴とする請求項６記載の動的帯域割当方法。
【請求項８】  上記判定工程は、上記網終端装置から判定周期内に受信した有効セルのセル数が所定の閾値を下回ると判定結果を出力し、上記セルスロット割り当て工程は、上記判定部の判定結果に対応して上記網終端装置に対するセルスロットの割り当てを減らすことを特徴とする請求項６記載の動的帯域割当方法。
【請求項９】  上記判定工程は、上記網終端装置から判定周期内に受信した有効セルのセル数が所定の閾値を超えると判定結果を出力し、上記セルスロット割り当て工程は、上記判定部の判定結果に対応して上記網終端装置に対するセルスロットの割り当てを増やすことを特徴とする請求項６記載の動的帯域割当方法。
【請求項１０】  上記判定工程は、判定周期内に受信したセルの総数に応じて閾値を設定することを特徴とする請求項７から請求項９のうちのいずれか１項記載の動的帯域割当方法。
【手続補正２】
【補正対象書類名】明細書
【補正対象項目名】００１７
【補正方法】変更
【補正の内容】
【００１７】
【課題を解決するための手段】
この発明に係る動的帯域割当システムは、セルスロットの割り当てを行う網装置と、上記網装置により割り当てられたセルスロットで、第１のセルヘッダを有する有効セルと第２のセルヘッダを有するアイドルセルを当該網装置に送信する網終端装置と、を備えた動的帯域割当システムにおいて、上記網装置は、上記セルヘッダに基づいて、上記網終端装置から上記網装置が受信した有効セルとアイドルセルを検出する検出部と、上記検出部の検出結果に基づいて、上記網終端装置へのセルスロットの割り当ての判定結果を出力する判定部と、上記判定部の判定結果に対応して上記網終端装置へのセルスロットの割り当てを制御するセルスロット割り当て部と、を備えたものである。
【手続補正３】
【補正対象書類名】明細書
【補正対象項目名】００１８
【補正方法】変更
【補正の内容】
【００１８】
この発明に係る動的帯域割当システムは、判定部が、網終端装置から受信した有効セルの連続数が所定の閾値を超えると判定結果を出力し、セルスロット割り当て部が、上記判定部の判定結果に対応して上記網終端装置に対するセルスロットの割り当てを増やすようにしたものである。
【手続補正４】
【補正対象書類名】明細書
【補正対象項目名】００１９
【補正方法】変更
【補正の内容】
【００１９】
この発明に係る動的帯域割当システムは、判定部が、網終端装置から判定周期内に受信した有効セルのセル数が所定の閾値を下回ると判定結果を出力し、セルスロット割り当て部が、上記判定部の判定結果に対応して上記網終端装置に対するセルスロットの割り当てを減らすようにしたものである。
【手続補正５】
【補正対象書類名】明細書
【補正対象項目名】００２０
【補正方法】変更
【補正の内容】
【００２０】
この発明に係る動的帯域割当システムは、判定部が、網終端装置から判定周期内に受信した有効セルのセル数が所定の閾値を超えると判定結果を出力し、セルスロット割り当て部が、上記判定部の判定結果に対応して上記網終端装置に対するセルスロットの割り当てを増やすようにしたものである。
【手続補正６】
【補正対象書類名】明細書
【補正対象項目名】００２１
【補正方法】変更
【補正の内容】
【００２１】
この発明に係る動的帯域割当システムは、判定部が判定周期内に受信したセルの総数に応じて閾値を設定するようにしたものである。
【手続補正７】
【補正対象書類名】明細書
【補正対象項目名】００２２
【補正方法】変更
【補正の内容】
【００２２】
この発明に係る動的帯域割当方法は、セルスロットの割り当てを行う網装置と、上記網装置により割り当てられたセルスロットで、第１のセルヘッダを有する有効セルと第２のセルヘッダを有するアイドルセルを当該網装置に送信する網終端装置と、を備えた動的帯域割当システムにおいて、上記セルヘッダに基づいて、上記網終端装置から上記網装置が受信した有効セルとアイドルセルを検出する検出工程と、上記検出工程の検出結果に基づいて、上記網終端装置へのセルスロットの割り当ての判定結果を出力する判定工程と、上記判定工程の判定結果に対応して上記網終端装置へのセルスロットの割り当てを制御するセルスロット割り当て工程と、を備えたものである。
【手続補正８】
【補正対象書類名】明細書
【補正対象項目名】００２３
【補正方法】変更
【補正の内容】
【００２３】
この発明に係る動的帯域割当方法は、判定工程が、上記網終端装置から受信した有効セルの連続数が所定の閾値を超えると判定結果を出力し、セルスロット割り当て工程が、上記判定部の判定結果に対応して上記網終端装置に対するセルスロットの割り当てを増やすようにしたものである。
【手続補正９】
【補正対象書類名】明細書
【補正対象項目名】００２４
【補正方法】変更
【補正の内容】
【００２４】
この発明に係る動的帯域割当方法は、判定工程が、網終端装置から判定周期内に受信した有効セルのセル数が所定の閾値を下回ると判定結果を出力し、セルスロット割り当て工程が、上記判定結果に対応して上記網終端装置に対するセルスロットの割り当てを減らすようにしたものである。
この発明に係る動的帯域割当方法は、判定工程が、網終端装置から判定周期内に受信した有効セルのセル数が所定の閾値を超えると判定結果を出力し、セルスロット割り当て工程が、上記判定部の判定結果に対応して上記網終端装置に対するセルスロットの割り当てを増やすようにしたものである。
この発明に係る動的帯域割当方法は、判定周期内に受信したセルの総数に応じて閾値を設定するようにしたものである。